(57)【特許請求の範囲】
【請求項１】
トリップ装置アセンブリは、ハウジングアセンブリ(70)、トリップバー(48)、及び、プランジャー(54)を備えたトリップ装置アセンブリのアクチュエータアセンブリ(44)を含み、前記トリップバー(48)は、第１位置と第２位置との間で動くように構築され、前記プランジャー(54)は、第１位置である伸長位置と第２位置である退縮位置との間で軸方向に動くように構築され、前記プランジャー(54)がプランジャーの第１位置である伸長位置に動くとき、前記プランジャーは、前記トリップバーに係合し、かつ前記トリップバー(48)を前記トリップバーの第１位置に動かし、前記トリップ装置アセンブリのアクチュエータアセンブリ(44)は、前記プランジャー(54)を一方向に動かすように構築されている、電気開閉装置(8)の前記トリップ装置アセンブリのためのトリップ及びリセットアセンブリ(80)において、前記電気開閉装置(8)は、作動機構(16)を含み、該作動機構(16)は、リセット部材(32)を含んでおり、前記トリップ及びリセットアセンブリ(80)は、
トリップ及びリセットアセンブリのアクチュエータ取付け部(84)と、
前記作動機構のリセット部材(32)に隣接させて配置され、前記プランジャー(54)を第１位置から第２位置に動かすように構築されたトリップ及びリセットアセンブリのアクチュエータ(82)と、を含み、
前記トリップ及びリセットアセンブリのアクチュエータ(82)は、さらに、前記作動機構のリセット部材(32)によって係合されるように構築され、
前記トリップ及びリセットアセンブリのアクチュエータ取付け部(84)は、トリップ及びリセットアセンブリのアクチュエータの旋回結合部の第１構成要素(88)を定める本体(86)を含み、
前記トリップ及びリセットアセンブリのアクチュエータ(82)は、旋回結合部の第２構成要素(114)、アクチュエータ接触面(98)、トリップバー接触面(100)、及びリセット接触面(110)を備えた長尺の本体(90)、を含んでおり、
前記トリップ及びリセットアセンブリのアクチュエータの本体(90)は、前記トリップ及びリセットアセンブリのアクチュエータ取付け部(84)に可動に結合され、かつ前記トリップバー接触面(100)が前記トリップバー(48)に係合する第１位置と、前記アクチュエータ接触面(98)が前記プランジャー(54)に係合する第２位置との間で可動であり、
前記トリップ及びリセットアセンブリのアクチュエータの本体(90)は、第１端部(92)、中間部(96)、及び第２端部(94)を含み、
前記トリップバー接触面(100)は、前記トリップ及びリセットアセンブリのアクチュエータの本体の第１端部(92)に配置され、
前記旋回結合部の第２構成要素(114)は、前記トリップ及びリセットアセンブリのアクチュエータの本体の中間部(96)に配置され、
前記リセット接触面(110)は、前記トリップ及びリセットアセンブリのアクチュエータの本体の第２端部(94)に配置され、前記作動機構のリセット部材(32)によって係合されるように構築される、ことを特徴とするトリップ及びリセットアセンブリ。
【請求項２】
前記トリップ及びリセットアセンブリのアクチュエータの本体(90)は、前記トリップ及びリセットアセンブリのアクチュエータ取付け部(84)に回動可能に取付けられることを特徴とする請求項１に記載のトリップ及びリセットアセンブリ(80)。
【請求項３】
前記トリップ及びリセットアセンブリのアクチュエータ取付け部の本体(86)は、前記トリップ装置アセンブリのハウジングアセンブリ(70)と単一体をなすことを特徴とする請求項１に記載のトリップ及びリセットアセンブリ(80)。
【請求項４】
前記トリップバー接触面(100)は、略曲線状のカム面(112)であることを特徴とする請求項１に記載のトリップ及びリセットアセンブリ(80)。
【請求項５】
前記トリップ装置アセンブリのアクチュエータアセンブリ(44)は、コイル(56)及び励磁回路(58)を含み、
前記コイル(56)は、前記プランジャー(54)が第２位置にあるときに実質的に前記プランジャー(54)の周りに配置され、
前記励磁回路(58)は、前記コイル(56)に結合されかつ電気的に接続され、
前記励磁回路(58)は、約２２ボルトと約２８ボルトとの間の電荷を保存するように構築される、ことを特徴とする請求項１に記載のトリップ及びリセットアセンブリ(80)。
【請求項６】
前記トリップ及びリセットアセンブリのアクチュエータ(82)は、単一体の本体(90)であることを特徴とする請求項１に記載のトリップ及びリセットアセンブリ(80)。
【請求項７】
前記電気開閉装置(8)は、幾つかの固定接点(27)、及び幾つかの可動接点(24)を含み、前記作動機構(16)は、各可動接点(24)と作動可能に結合され、かつ各可動接点(24)を動かすように構築されており、
各可動接点(24)は、可動接点(24)が固定接点(26)から離れて配置される開位置である第１位置と、可動接点(24)が固定接点(26)に直接結合されかつ電気的に接続される閉位置である第２位置との間で可動であり、前記作動機構(16)は、各可動接点(24)が固定接点(26)から離れて配置される第１配置と、各可動接点(24)が固定接点(26)に直接結合されかつ電気的に接続され、かつ前記作動機構(16)が前記第１配置に向けて付勢される閉配置である第２配置と、リセット配置の３つの配置の間で可動であり、
前記作動機構(16)が前記リセット配置に動くとき、前記作動機構のリセット部材(32)は、前記トリップ及びリセットアセンブリのアクチュエータの本体のリセット接触面(110)に係合し、
前記プランジャー(54)が前記プランジャーの第１位置に動くとき、前記プランジャー(54)は、前記アクチュエータ接触面(98)に係合し、かつ前記トリップ及びリセットアセンブリのアクチュエータの本体(90)を、前記トリップ及びリセットアセンブリのアクチュエータの本体の第１位置に動かし、前記トリップ及びリセットアセンブリのアクチュエータの本体(90)が、前記トリップ及びリセットアセンブリのアクチュエータの本体の第１位置に動くとき、前記トリップバー接触面(100)は、前記トリップバー(48)に係合し、かつ前記トリップバー(48)を前記トリップバーの第１位置に動かし、
前記作動機構(16)がリセット配置に動くとき、前記作動機構のリセット部材(32)は、前記リセット接触面(110)に係合し、かつ前記トリップ及びリセットアセンブリのアクチュエータの本体(90)を、前記トリップ及びリセットアセンブリのアクチュエータの本体の第２位置に動かし、前記トリップ及びリセットアセンブリのアクチュエータの本体(90)が、前記トリップ及びリセットアセンブリのアクチュエータの本体の第２位置に動くとき、前記アクチュエータ接触面(98)は、前記プランジャー(54)に係合し、かつ前記プランジャーを前記プランジャーの第２位置に動かす、ことを特徴とする請求項１に記載のトリップ及びリセットアセンブリ(80)。
【請求項８】
電気開閉装置(8)は、作動機構(16)、幾つかの固定接点(26)及び幾つかの可動接点(24)を含み、前記作動機構(16)は、リセット部材(32)を含み、前記作動機構(16)は、各可動接点(24)に作動可能に結合され、かつ各可動接点(24)を動かすように構築され、各可動接点(24)は、可動接点(24)が固定接点(26)から離れて配置される開位置である第１位置と、可動接点(24)が固定接点(26)に直接結合されかつ電気的に接続される閉位置である第２位置との間で可動であり、前記作動機構(16)は、各可動接点(24)が固定接点(26)から離れて配置される第１配置と、各可動接点(24)が固定接点(26)に直接結合されかつ電気的に接続され、かつ前記作動機構(16)が前記第１配置に向けて付勢される閉配置である第２配置と、リセット配置の３つの配置の間で可動である、前記電気開閉装置(8)のためのトリップ装置アセンブリ(40)において、前記トリップ装置アセンブリ(40)は、
空洞部(76)を定めるハウジングアセンブリ(70)と、
前記作動機構(16)に作動可能に結合されるトリップバー(48)と、を含み、前記トリップバー(48)は、前記トリップバー(48)が前記作動機構(16)の動きを拘束しない第１位置と、前記トリップバー(48)が前記作動機構(16)の動きを拘束する第２位置との間で可動であり、
前記トリップ装置アセンブリ(40)は、さらに、トリップ装置アセンブリのアクチュエータアセンブリ(44)を含み、前記トリップ装置アセンブリのアクチュエータアセンブリ(44)は、プランジャー(54)を含み、前記プランジャー(54)は、第１位置である伸長位置と第２位置である退縮位置との間で軸方向に動くように構築され、前記プランジャー(54)が前記プランジャーの第１位置である伸長位置に動くとき、前記プランジャー(54)は、前記トリップバー(48)に係合し、かつ前記トリップバー(48)を前記トリップバーの第１位置に動かし、前記トリップ装置アセンブリのアクチュエータアセンブリ(44)は、前記プランジャー(54)を、前記プランジャーの第２位置から前記プランジャーの第１位置に動かすように構築され、
前記トリップ装置アセンブリ(40)は、さらに、請求項１から６のいずれか１項に記載のトリップ及びリセットアセンブリ(80)を含む、ことを特徴とするトリップ装置アセンブリ。
【請求項９】
前記作動機構(16)が前記リセット配置に動くとき、前記作動機構のリセット部材(32)は、前記トリップ及びリセットアセンブリのアクチュエータの本体のリセット接触面(110)に係合し、
前記プランジャー(54)が前記プランジャーの第１位置に動くとき、前記プランジャー(54)は、前記アクチュエータ接触面(98)に係合し、かつ前記トリップ及びリセットアセンブリのアクチュエータの本体(90)を、前記トリップ及びリセットアセンブリのアクチュエータの本体の第１位置に動かし、前記トリップ及びリセットアセンブリのアクチュエータの本体(90)が、前記トリップ及びリセットアセンブリのアクチュエータの本体の第１位置に動くとき、前記トリップバー接触面(100)は、前記トリップバー(48)に係合し、かつ前記トリップバー(48)を前記トリップバーの第１位置に動かし、
前記作動機構(16)がリセット配置に動くとき、前記作動機構のリセット部材(32)は、前記リセット接触面(110)に係合し、かつ前記トリップ及びリセットアセンブリのアクチュエータの本体(90)を、前記トリップ及びリセットアセンブリのアクチュエータの本体の第２位置に動かし、前記トリップ及びリセットアセンブリのアクチュエータの本体(90)が、前記トリップ及びリセットアセンブリのアクチュエータの本体の第２位置に動くとき、前記アクチュエータ接触面(98)は、前記プランジャー(54)に係合し、かつ前記プランジャーを、前記プランジャーの第２位置に動かす、ことを特徴とする請求項８に記載のトリップ装置アセンブリ(40)。
【請求項１０】
幾つかの固定接点(26)及び幾つかの可動接点(24)を含み、各可動接点(24)は、可動接点(24)が固定接点(26)から離れて配置される開位置である第１位置と、可動接点(24)が固定接点(26)に直接結合され、かつ電気的に接続される閉位置である第２位置との間で可動であり、
さらに、リセット部材(32)を含む作動機構(16)を含み、前記作動機構(16)は、各可動接点(24)に作動可能に結合され、かつ各可動接点(24)を動かすように構築され、各可動接点(24)は、可動接点(24)が固定接点(26)から離れて配置される開位置である第１位置と、可動接点(24)が固定接点(26)に直接結合され、かつ電気的に接続される閉位置である第２位置との間で可動であり、前記作動機構(16)は、各可動接点(24)が固定接点(26)から離れて配置される第１配置と、各可動接点(24)が固定接点(26)に直接結合されかつ電気的に接続され、かつ前記作動機構(16)が前記第１配置に向けて付勢される閉配置である第２配置と、リセット配置の３つの配置の間で可動であり、
さらに、トリップ装置アセンブリ(40)を含み、前記トリップ装置アセンブリは、ハウジングアセンブリ(70)、トリップ装置アセンブリのアクチュエータアセンブリ(44)、及びトリップバー(48)を含み、
前記トリップ装置アセンブリのハウジングアセンブリ(70)は空洞部(76)を定め、
前記トリップバー(48)は、前記作動機構(16)に作動可能に結合され、前記トリップバー(48)は、前記トリップバー(48)が前記作動機構(16)の動きを拘束しない第１位置と、前記トリップバー(48)が前記作動機構(16)の動きを拘束する第２位置との間で可動であり、
前記トリップ装置アセンブリのアクチュエータアセンブリ(44)は、プランジャー(54)を含み、前記プランジャー(54)は、第１位置である伸長位置と第２位置である退縮位置との間で軸方向に動くように構築され、前記プランジャー(54)が前記プランジャーの第１位置である伸長位置に動くとき、前記プランジャー(54)は、前記トリップバー(48)に係合し、かつ前記トリップバー(48)を前記トリップバーの第１位置に動かし、前記トリップ装置アセンブリのアクチュエータアセンブリ(44)は、前記プランジャー(54)を、前記プランジャーの第２位置から前記プランジャーの第１位置に動かすように構築され、
さらに、トリップ及びリセットアセンブリ(80)を含み、前記トリップ及びリセットアセンブリは、トリップ及びリセットアセンブリのアクチュエータ取付け部(84)と、トリップ及びリセットアセンブリのアクチュエータ(82)とを含み、前記トリップ及びリセットアセンブリ(80)は、前記プランジャー(54)を第１位置から第２位置に動かすように構築され、
前記トリップ及びリセットアセンブリのアクチュエータ取付け部(84)は、トリップ及びリセットアセンブリのアクチュエータの旋回結合部の第１構成要素(88)を定める本体(86)を含み、
前記トリップ及びリセットアセンブリのアクチュエータ(82)は、旋回結合部の第２構成要素(114)、アクチュエータ接触面(98)、トリップバー接触面(100)、及びリセット接触面(110)を備えた長尺の本体(90)を含み、
前記トリップ及びリセットアセンブリのアクチュエータ(82)は、前記プランジャー(54)を第１位置から第２位置に動かすように構築され、前記作動機構のリセット部材(32)に隣接させて配置され、
前記トリップ及びリセットアセンブリのアクチュエータ(82)は、さらに、前記作動機構のリセット部材(32)によって係合されるように構築され、
前記トリップ及びリセットアセンブリのアクチュエータの本体(90)は、前記トリップ及びリセットアセンブリのアクチュエータ取付け部(84)に可動に結合され、かつ前記トリップバー接触面(100)が前記トリップバー(48)に係合する第１位置と、前記アクチュエータ接触面(98)が前記プランジャー(54)に係合する第２位置との間で可動であり、
前記作動機構(16)が前記リセット配置に動くとき、前記作動機構のリセット部材(32)は、前記トリップ及びリセットアセンブリのアクチュエータの本体のリセット接触面(110)に係合し、
前記プランジャー(54)が前記プランジャーの第１位置に動くとき、前記プランジャー(54)は、前記アクチュエータ接触面(98)に係合し、かつ前記トリップ及びリセットアセンブリのアクチュエータの本体(90)を、前記トリップ及びリセットアセンブリのアクチュエータの本体の第１位置に動かし、前記トリップ及びリセットアセンブリのアクチュエータの本体(90)が、前記トリップ及びリセットアセンブリのアクチュエータの本体の第１位置に動くとき、前記トリップバー接触面(100)は、前記トリップバー(48)に係合し、かつ前記トリップバー(48)を前記トリップバーの第１位置に動かし、
前記作動機構(16)がリセット配置に動くとき、前記作動機構のリセット部材(32)は、前記リセット接触面(110)に係合し、かつ前記トリップ及びリセットアセンブリのアクチュエータの本体(90)を、前記トリップ及びリセットアセンブリのアクチュエータの本体の第２位置に動かし、前記トリップ及びリセットアセンブリのアクチュエータの本体(90)が、前記トリップ及びリセットアセンブリのアクチュエータの本体の第２位置に動くとき、前記アクチュエータ接触面(98)は、前記プランジャーに係合し、かつ前記プランジャー(54)を、前記プランジャーの第２位置に動かし、
前記トリップ及びリセットアセンブリのアクチュエータの本体(90)は、第１端部(92)、中間部(96)、及び第２端部(94)を含み、
前記トリップバー接触面(100)は、前記トリップ及びリセットアセンブリのアクチュエータの本体の第１端部(92)に配置され、
前記旋回結合部の第２構成要素(114)は、前記トリップ及びリセットアセンブリのアクチュエータの本体の中間部(96)に配置され、
前記リセット接触面(110)は、前記トリップ及びリセットアセンブリのアクチュエータの本体の第２端部(94)に配置され、前記作動機構のリセット部材(32)によって係合されるように構築される、ことを特徴とする電気開閉装置(8)。
【請求項１１】
前記トリップ及びリセットアセンブリのアクチュエータの本体(90)は、前記トリップ及びリセットアセンブリのアクチュエータ取付け部(84)に回動可能に取付けられることを特徴とする請求項１０に記載の電気開閉装置(8)。
【請求項１２】
前記トリップ及びリセットアセンブリのアクチュエータ取付け部の本体(86)は、前記トリップ装置アセンブリのハウジングアセンブリ(70)と単一体をなすことを特徴とする請求項１０に記載の電気開閉装置(8)。
【請求項１３】
前記トリップ装置アセンブリのアクチュエータアセンブリ(44)は、コイル(56)及び励磁回路(58)を含み、
前記コイル(56)は、前記プランジャー(54)が第２位置にあるときに実質的に前記プランジャー(54)の周りに配置され、
前記励磁回路(58)は、前記コイル(56)に結合されかつ電気的に接続され、
前記励磁回路(58)は、約２２ボルトと約２８ボルトとの間の電荷を保存するように構築される、ことを特徴とする請求項１０に記載の電気開閉装置(8)。
【発明の詳細な説明】
【技術分野】
【０００１】
本出願は、２０１３年１２月１２日に出願された米国特許出願第１４／１０３，８７１号の優先権及び利益を主張するものであり、この出願の開示は参照により本明細書に援用される。
【０００２】
本発明は、一般的には、電気開閉装置に関し、より詳しくは、回路遮断器のためのトリップアクチュエータアセンブリに関する。
【背景技術】
【０００３】
電気開閉装置は、例えば、回路開閉装置、回路遮断器のような回路安全装置、系統保安装置、接触器、モータ起動装置、モータ制御装置、及び他の負荷制御装置を含む。当該技術分野において、回路安全装置、及び、特に、様々な配線用遮断器のような電気開閉装置は、周知である。例えば、米国特許第５，３４１，１９１号を参照されたい。回路遮断器は、例えば過負荷状態、または比較的高レベルの短絡、または故障状態といった過電流状態による損傷から電気回路を保護するために使用される。配線用遮断器（molded case circuit breaker）は、典型的には、一相毎に一対の可分離接点を含んでいる。可分離接点は、ケースの外部に配置されたハンドルにより手動で作動させることもでき、または、過電流状態に応答して自動的に作動することもできる。
【０００４】
例示的な形態において、回路遮断器は、可分離接点を迅速に開閉するように構成された作動機構と、過電流状態を検出するトリップ装置アセンブリと、トリップ装置のアクチュエータアセンブリとを含む。トリップアクチュエータは、過電流状態に応答してトリップ装置アセンブリによって駆動され、作動機構をトリップ状態に動かす。トリップ状態において、可分離接点は開位置に動く。
【０００５】
トリップ装置アセンブリは、多くの場合、過電流状態に対して磁気的または熱的に反応する機械的装置を含むものであった。現在では、過電流状態を検出するために電気回路も使用されている。電気回路は、過電流状態に対して磁気的または熱的に反応するものではないため、電子式トリップ機構に結合されていなければならない。電子式トリップ機構は、例えば、磁束シャント式トリップアクチュエータであるが、これに限定されるものではない。磁束シャント式トリップアクチュエータのような（但し、これに限定されるものではない）電子式トリップ機構には、リセット装置が必要である。磁束シャント式トリップアクチュエータには、別体のリセットアクチュエータが備えられることが知られている。すなわち、リセットアクチュエータは、回路遮断器のハンドルのような（但し、これに限定されるものではない）他の要素から分離されている。
【発明の概要】
【発明が解決しようとする課題】
【０００６】
したがって、回路遮断器のような電気開閉装置、及び、トリップアクチュエータアセンブリには、改善の余地がある。
【課題を解決するための手段】
【０００７】
本発明の少なくとも１つの実施形態は、トリップ及びリセットアセンブリのアクチュエータ取付け部と、トリップ及びリセットアセンブリのアクチュエータとを含むトリップ及びリセットアセンブリを提供する。トリップ及びリセットアセンブリのアクチュエータは、プランジャーを第１位置から第２位置へ動かすように構築される。トリップ及びリセットアセンブリのアクチュエータ取付け部は、トリップ及びリセットアセンブリのアクチュエータの旋回結合部の第１要素を定める本体を含む。トリップ及びリセットアセンブリのアクチュエータは、旋回結合部の第２要素、アクチュエータ接触面、トリップバー接触面、及びリセット接触面を備えた長尺の本体を含む。トリップ及びリセットアセンブリのアクチュエータの本体は、トリップ及びリセットアセンブリのアクチュエータ取付け部に可動に結合され、トリップバー接触面がトリップバーに係合する第１位置と、アクチュエータ接触面がプランジャーに係合する第２位置との間で可動である。
【０００８】
好適な実施形態の以下の説明を、添付図面を参照しつつ読むことにより、本発明の完全な理解が得られるであろう。
【図面の簡単な説明】
【０００９】
【図１】図１は、電気開閉装置の側断面図である。
【図２】図２は、トリップ及びリセットアセンブリの詳細側断面図である。
【図３】図３は、電気開閉装置の上断面図である。
【図４】図４は、トリップ及びリセットアセンブリの詳細上断面図である。
【図５】図５は、トリップ及びリセットアセンブリの展開等角図である。
【図６】図６は、トリップ及びリセットアセンブリの別の展開等角図である。
【図７】図７は、トリップ及びリセットアセンブリの等角図である。
【発明を実施するための形態】
【００１０】
添付図面に図示され、以下の詳細な説明に記載された特定の要素は、開示される概念の単なる例示的な実施形態であり、説明のみを目的とする非限定的な例として提供されるものである。したがって、本明細書に開示される実施形態に関連する特定の寸法、向き、及び他の物理的特性は、開示される概念の範囲を限定するものとして考えられるべきものではない。
【００１１】
本明細で使用される方向を示す用語（例えば、時計回り、反時計回り、左、右、頂部、底部、上方、下方、及びこれらから派生する用語）は、図面に示される要素の向きに関するものであり、請求項中に明示的に記載されていない限り、請求項を限定するものではない。
【００１２】
本明細書で使用される単数の名詞は、文脈から複数ではないことが明白に決まらない限り、複数への言及を含むものである。
【００１３】
本明細書において、「アクチュエータ」及び「駆動要素」という用語は、電気開閉装置の任意の既知のまたは適切な出力機構（例えば、トリップアクチュエータ、ソレノイド、磁束シャント式トリップアクチュエータを含むが、これらに限定されるものではない）、及び／または、そのような機構の、電気開閉装置の他の構成要素を操作するために動く要素（例えば、ステム、プランジャー、レバー、パドル、アームを含むが、これらに限定されるものではない）を意味する。
【００１４】
本明細書において、２以上の部分または構成要素が「結合される」という記述は、これらの部分または構成要素が、直接的に、あるいは、間接的に（すなわち、結び付きが生じている限り、１以上の中間の部品または構成要素を介して）接合されるか、または、共に作動することを意味する。本明細書において、「直接結合される」は、２つの要素が互いに直接接触していることを意味する。本明細書において、「固定的に結合される」または「固定される」は、２つの要素が、互いの相対的な向きを一定に維持しながら一体として動くように結合されることを意味する。したがって、２つの要素が結合されているとき、それら２つの要素の全ての部分が結合されている。但し、第１の要素の特定の部分が第２の要素に結合される（例えば、軸の第１の端部が第１のホイールに結合される）という記載は、第１の要素のその特定の部分が、第２の要素に対して、第１の要素の他の部分よりも近接して配置されることを意味する。
【００１５】
本明細書において、２以上の部分または構成要素が互いに「係合する」という記述は、これらの部分または構成要素が、直接的に、または、１以上の中間の部品または構成要素を介して、互いに力を及ぼすことを意味する。さらに、可動部品に関して、可動部品は、１つの位置から別の位置へ動く間、別の要素に「係合する」ものであってもよく、及び／または、記載された位置において一度、別の要素に「係合する」ものであってもよい。したがって、「要素Ａが、要素Ａの第１位置に動くとき、要素Ａは要素Ｂに係合する」という記載と、「要素Ａが、要素Ａの第１位置にあるとき、要素Ａは要素Ｂに係合する」の記載は、等価な記載であり、要素Ａが、要素Ａの第１位置に動く間、要素Ｂに係合すること、及び、要素Ａが、要素Ａの第１位置にある間、要素Ｂに係合することのいずれか一方または両方を意味する。
【００１６】
本明細書において、「単一体」という用語は、単一の部品またはユニットとして形成された構成要素を意味する。すなわち、別々に作成された複数の部品を含み、それらの部品が１ユニットとして結合された構成要素または物体は、「単一体」ではない。
【００１７】
本明細書において、「数」という用語は、１または１より大きい（すなわち、複数の）整数を意味する。
【００１８】
本明細書において、「結合アセンブリ」は、２以上の結合部または結合要素を含む。結合部または結合アセンブリの複数の構成要素は、一般に、同じ要素または他の構成要素の一部ではない。したがって、「結合アセンブリ」の複数の構成要素は、以下の説明において、同時に説明されない場合もある。
【００１９】
本明細書において、「結合部」または「結合要素」は、結合アセンブリの１以上の構成要素である。すなわち、結合アセンブリは、互いに結合されるように構成された少なくとも２つの構成要素を含む。結合アセンブリの複数の構成要素は、互いに適合するものである。例えば、結合アセンブリにおいて、１つの結合要素がスナップ式ソケットの場合、他の結合要素はスナップ式プラグである。また、１つの結合要素がボルトの場合、他の結合要素はナットである。
【００２０】
本明細書において、磁石が、磁気引力を発生できる他の要素から「作動可能に離隔配置される」は、磁石または他の要素が拘束されていない場合、磁石または他の要素が動いて互いに接触するために十分な力で磁石が他の要素に引き付けられ得る程度に、２つの要素が近接していることを意味する。
【００２１】
本明細書において、「カム面」は、別の要素に係合するか、または、別の要素により係合される面であり、かつ、その係合に応答して部材が動くものである。単に別の要素と係合し得るか、または、別の要素により係合され得る面であって、他の要素と実際に係合しない面は、「カム面」ではない。
【００２２】
本明細書において、「関連付けられた」という表現は、複数の要素が、同じアセンブリの一部であること、及び／または、共に作動すること、あるいは何らかの形で互いに作用を及ぼすかもしくは共に動作することを意味する。例えば、自動車は４つのタイヤと４つのハブキャップを有している。これらの全ての要素が自動車の一部として結合されている間、それぞれのハブキャップは、特定のタイヤと「関連付けられ」ている。
【００２３】
本明細書において、「対応する」とういう表現は、２つの構造要素の大きさ及び形状が互いに同様であり、最小限の摩擦で結合され得ることを示す。したがって、ある部材に「対応する」開口部は、その部材が開口部を最小限の摩擦で通ることができるように、その部材よりも僅かに大きい。この定義は、２つの構成要素が「スナッグ（snug）」に嵌まるまたは「スナッグに対応する」と言われる場合、修正される。この場合、２つの構成要素の間の大きさの差はさらに小さく、それによって、摩擦が増大する。開口部が設けられる要素及び／またはその開口部に挿入される構成要素が変形可能または圧縮可能な材料からなる場合、開口部は、その開口部に挿入される構成要素よりも僅かに小さい場合すらあり得る。この定義は、２つの構成要素が「十分に対応する」と言われる場合、さらに修正される。「十分に対応する」という表現は、開口部の大きさが、その開口部に挿入される要素の大きさに非常に近いことを意味する。この場合の近さは、言い換えれば、スナッグな嵌め合いのような実質的な摩擦が生じるほど近くはないが、「対応する」（すなわち、「僅かに大きい」）嵌め合いよりも強い接触及び大きな摩擦を伴う近さである。
【００２４】
本明細書において、「第１位置」または「第１配置」は、開状態（すなわち、電気開閉装置を通じて電気が流れない状態）にある電気開閉装置に関連する。反対に、「第２位置」または「第２配置」は、閉状態（すなわち、電気開閉装置を通じて電気が流れる状態）にある電気開閉装置に関連する。したがって、「第２位置」または「第２配置」は、電気開閉装置の作動状態に関連する。電気開閉装置の動作、例えば過電流状態に応答するトリップ動作、の説明において、電気開閉装置またはその要素及びアセンブリは、「第２位置」から開始して「第１位置」に動く場合もある。さらに、選択された位置において別の要素に「係合する」要素を特定するとき、指定された位置に動く間、及び／または、指定された位置に配置されている間、付勢の印加が発生する場合もある。
【００２５】
本明細書において、「〜するように構築される」の記載は、指定された要素またはアセンブリが、「〜する」によって指定された動作を実行するための形状、大きさ、配置、結合、及び／または、構成を有することを意味する。例えば、「動くように構築された」部材は、別の要素に可動に結合され、その部材を動かす要素を含むか、または、その部材が他の要素またはアセンブリに応答して動くように構成されている。
【００２６】
本明細書において、「作動可能に結合される」は、それぞれ第１位置と第２位置の間または第１配置と第２配置との間で可動な幾つかの要素またはアセンブリが、第１要素が第１位置／配置から他の位置／配置へ動き、かつ第２要素も複数の位置／配置の間で動くように、結合されることを意味する。第１要素が別の要素に「作動可能に結合され」、一方、その逆は成り立たない場合もあり得る。例えば、トリップバーは、回路遮断器の作動機構に「作動可能に結合される」ものであってもよい。これは、トリップバーが動くとき、作動機構も動くことを意味する。但し、作動機構は、トリップバーに「作動可能に結合される」ものではないこともあり得る。これは、作動機構は、必ずしもトリップバーの動きを要することなく、例えばハンドルによって、手動で操作できることを意味する。
【００２７】
本明細書において、「略曲線状」は、複数の曲線部分を有する要素、曲線部分と平面部分との組合せ、及び、曲線をなすように互いに角度付けられて配置された複数の平面部分または断片を含む。
【００２８】
図１に示すように、また周知のように、例えば回路遮断器１０のような（但し、これには限定されない）電気開閉装置８は、電気開閉装置のハウジングアセンブリ１２、導電体アセンブリ１４、作動機構１６、トリップ装置アセンブリ４０、（模式的に示される要素）、及び他の構成要素を含んでいる。電気開閉装置のハウジングアセンブリ１２は、非導電性の材料からなり、他の構成要素を配置できる閉鎖空間１８を定める。電気開閉装置のハウジングアセンブリの閉鎖空間１８は、一実施形態において、幾つかの空洞部に分けられており、これらの空洞部には、後述するトリップ装置アセンブリのアクチュエータ４４のための空洞部１９が含まれる。
【００２９】
導電体アンセブリ１４は、電気開閉装置のハウジングアンセブリ１２を通じて延びる幾つかの導電要素２０を含んでいる。幾つかの導電要素２０は、ラインバス２２、可動接点２４と固定接点２６とを含む一対の接点２３、及び負荷バス２８を含むが、これらに限定されるものではない。周知のように、これらの要素の組を複数備えるものであってもよいが、以下では、一組についてのみ説明する。ラインバス２２と可動接点２４は電気的に接続され、また、固定接点２６と負荷バス２８は電気的に接続されている。各可動接点２４は、開位置である第１位置と閉位置である第２位置との間で動くように構築される。可動接点２４は、第１位置において、固定設定２６から離れて配置され、第２位置において、固定設定２６に直接結合され、かつ電気的に接続される。
【００３０】
作動機構１６は、各可動接点２４に作動可能に結合され、各可動接点２４を動かすように構築されている。作動機構１６は、開配置である第１配置と閉配置である第２配置とを含む幾つかの配置の間で動くものである。各可動接点２４は、第１配置において、関連付けられた固定接点２６から離れて配置され、第２配置において、関連付けられた固定接点２６に直接結合され、かつ電気的に接続される。作動機構１６は、例えば、ばね（図示は省略する）のような（但し、これには限定されない）付勢要素（図示は省略する）を含み、この付勢要素は、作動機構１６を第１配置へと付勢する。これによって、接点２４、２６は、開位置である第１位置へと付勢される。作動機構１６は、ハンドル３０及びリセット部材３２（図４）を含む。ハンドル３０は、接点２４、２６を第１位置と第２位置との間で動かすために使用されるものであってもよい。また、ハンドル３０は、リセット位置に動かし、それによって作動機構１６をリセット配置に動かすためにも、使用されるものであってもよい。例示的な一実施形態において、リセット部材３２は、後述するように、ハンドル３０とともに動き、かつトリップ及びリセットアセンブリ８０に係合する。
【００３１】
作動機構１６は、さらに、作動機構１６が第１配置に動くことを選択的に防止する止め部（図示は省略する）または同様の装置を含んでいる。作動機構１６が、一対の接点２３が閉位置にある第２配置にあるとき、止め部は、接点２３を閉位置である第２位置に維持する。止め部、またはより一般的には作動機構１６は、後述するトリップ装置アセンブリ４０に、トリップラッチ（図示は省略する）によって機械的に結合される。すなわち、止め部は、トリップラッチに係合する。トリップ装置アセンブリ４０が過電流状態を検出すると、機械的連結によって止め部がトリップラッチから解除され、これによって、接点２４、２６が作動機構１６の付勢により開位置である第１位置に動かされる。周知のように、作動機構１６がリセット配置に動かされるとき、止め部は、作動機構１６が第２位置に動く前に、トリップラッチに再係合する。
【００３２】
図１〜図４に示すように、トリップ装置アセンブリ４０は、幾つかの電気的バス４２、トリップ装置アセンブリのアクチュエータアセンブリ４４、トリップ回路４６、トリップバー４８、ハウジングアセンブリ７０、そして、トリップ及びリセットアセンブリ８０のような（但し、これらに限定されない）幾つかの構成要素を含む。周知のように、トリップ回路４６は、任意の電気的バス４２における過電流状態を検出するように構築される。トリップ回路４６は、任意の電気的バス４２における過電流状態を検出すると、電気信号を生成する。トリップ装置アセンブリのアクチュエータアセンブリ４４は、トリップ回路４６に電気的に接続される電気機械装置であり、後述するように、信号の受信及び任意の電気的バス４２における過電流状態に応答して機械的運動を発生させるように構築される。
【００３３】
トリップバー４８は、長尺の本体４７を含む。トリップバーの本体４７の長手軸は、回転軸でもある。トリップバー４８は、電気開閉装置のハウジングアセンブリ１２に可動に結合され、例示的な位置実施形態においては、回動可能に結合されている。トリップバーの本体４７は、幾つかの係合面４５を含み、これらの係合面には、半径方向延長部４９が含まれる（但し、これに限定されるものではない）。上述したように、トリップバー４８は、作動機構１６に作動可能に結合されており、これによって、トリップバー４８の回動により、作動機構１６が作動機構１６の第２位置から作動機構１６の第１位置に動かされる。すなわち、トリップバー４８は、トリップバーの第１位置及びトリップバーの第２位置を含む幾つかの位置の間で動き、トリップバーの第１位置において、止め部はトリップラッチに係合せず、これによって、作動機構１６が、作動機構１６の第１配置に動くことが可能となる。また、トリップバーの第２位置において、止め部は、トリップラッチに係合し、作動機構１６を作動機構１６の第２配置に維持する。
【００３４】
周知のように、（模式的に示されている）トリップ回路４６は、過電流状態を検出するために、電気開閉装置のハウジングアセンブリ１２内に配置され、導電要素２０に結合されている。トリップ回路４６は、幾つかの電気的バス４２を介してトリップ装置アセンブリのアクチュエータアセンブリ４４に結合され、かつ電気的に接続される。したがって、トリップ装置アセンブリ４０の全体は、電気開閉装置のハウジングアセンブリ１２内に配置されている。
【００３５】
トリップ装置アセンブリのアクチュエータアセンブリ４４は、トリップ回路４６からの電気信号の受信に応答して駆動されるように構築される。すなわち、トリップ装置アセンブリのアクチュエータアセンブリ４４は、後述するように、トリップ回路４６から電気信号を受信し、かつ、それに応答してプランジャー５４を駆動するように構築される。例示的な一実施形態において、トリップ装置アセンブリのアクチュエータアセンブリ４４は、磁束シャント式トリップアクチュエータであり、ハウジング５０、永久磁石５２、長尺の駆動部材若しくはプランジャー５４、コイル５６、及び、励磁回路５８（模式的に示されている）を含む。トリップ装置アセンブリのアクチュエータアセンブリのハウジング５０は、第１端部６０と第２端部６２を含む。トリップ装置アセンブリのアクチュエータアセンブリのハウジングの第２端部６２は、プランジャー５４の断面形状に対応する開口部６４を含む。永久磁石５２は、トリップ装置アセンブリのアクチュエータアセンブリのハウジング５０内の、トリップ装置アセンブリのアクチュエータアセンブリのハウジングの第１端部６０に配置されている。
【００３６】
プランジャー５４は、トリップ装置アセンブリのアクチュエータアセンブリのハウジング５０内に可動に配置され、プランジャーの第１位置である伸長位置とプランジャーの第２位置である退縮位置の間で軸方向に動くものである。第１位置である伸長位置において、プランジャー５４は、トリップバー４８に係合し、かつトリップバー４８をトリップバーの第１位置に動かし、第２位置である退縮位置において、プランジャー５４は、トリップバー４８から離れて配置される。プランジャー５４の一部または端部は、トリップ装置アセンブリのアクチュエータアセンブリのハウジングの第２端部の開口部６４を通じて延びる。プランジャー５４は、例えば鉄系材料または磁性材料のような、磁気感受性を有する材料からなる。したがって、プラジャー５４がプランジャーの第１位置にあるとき、プランジャー５４は永久磁石５２から作動可能に離隔配置されている。すなわち、プラジャー５４が第１位置にあるとき、永久磁石５２は、プランジャー５４を引き付ける（すなわち、動きを生じさせる）ために十分な力を有していない。プランジャー５４がプランジャーの第２位置にあるとき、プランジャー５４は、永久磁石５２から作動可能に離隔配置されていない。すなわち、プランジャー５４が第２位置にあるとき、永久磁石５２は、プランジャー５４を引き付けるために十分な力を有し、これによって、プランジャー５４は、プランジャーの第２位置に維持される。
【００３７】
コイル５６は、トリップ装置アセンブリのアクチュエータアセンブリのハウジング５０内の、プランジャー５４の周りに配置される。例示的な一実施形態において、コイル５６は、励磁回路５８によって通電され、それによって磁界を発生させる。すなわち、励磁回路５８は、コイル５６に結合され、かつ電気的に接続されている。コイル５６により発生する磁界は、永久磁石５２とプランジャー５４との間の磁気引力に打ち勝つために十分に強いものである。これによって、コイル５６に通電されているとき、プランジャー５４は第１位置に動く。第１位置において、プランジャー５４は、永久磁石５３の範囲を超えるものである。すなわち、プランジャー５４は、永久磁石５２から、作動的な離隔配置よりも大きく離隔される。これによって、プラジャー５４が第１位置に動くと、プランジャーは、外力が作用するまでその位置に留まる。さらに、後述するトリップ及びリセットアセンブリ８０の構成のため、コイル５６に通電するために必要なエネルギーは、他のトリップ及びリセット装置の配置構成に対して低減される。
【００３８】
すなわち、励磁回路５８は、回路部品（図示は省略する）によって定められる調整電圧までコンデンサーを充電する。コンデンサーによって保持される調整電圧の値は、回路遮断器１０をトリップさせる（引き外す）ためにトリップ装置アセンブリのアクチュエータアセンブリ４４に必要な電圧によって定まる。ハーベスティング技術では、既知のトリップ装置のアクチュエータアセンブリに必要な適正な電圧までコンデンサーを充電するための能力は限定されている。したがって、トリップ装置アセンブリのアクチュエータアセンブリ４４は、従来のトリップ装置のアクチュエータアセンブリよりも非常に低い電圧でトリップするように構築されている。例えば、既知のトリップ装置のアクチュエータでは、コンデンサーを約４１ボルトに充電する必要がある。例示的な一実施形態において、トリップ装置アセンブリのアクチュエータアセンブリ４４は、約２２ボルトと約２８ボルトの間、または約２５ボルトのコンデンサーの充電で、トリップするように構築される。
【００３９】
トリップ装置アセンブリのハウジングアセンブリ７０は、第１端部７２と反対側の第２端部７４を有する本体７１を含む。図示されるように、トリップ装置アセンブリのハウジングアセンブリ７０は、電気開閉装置のハウジングアセンブリ１２とは別体の部材である。さらに、図示されるように、トリップ装置アセンブリのハウジングアセンブリの本体７１は、トリップ装置アセンブリのハウジングアセンブリ７０を構成するように結合される幾つかの構成要素７３を含んでいる。図示を省略する別の実施形態において、トリップ装置アセンブリのハウジングアセンブリ７０またはその一部は、電気開閉装置のハウジングアセンブリ１２と単一体をなすものである。トリップ装置アセンブリのハウジングアセンブリの本体７１は、トリップ装置アセンブリのアクチュエータアセンブリ４４の大きさ及び形状に略対応する空洞部７６を定める。トリップ装置アセンブリのハウジングアセンブリの本体７１は、トリップ装置アセンブリのアクチュエータアセンブリ４４がトリップ装置アセンブリのハウジングアセンブリ７０内に配置されたときに、プランジャー５４と揃うように配置されたプランジャー用開口部７８を含む。
【００４０】
図５〜図７に示されるように、トリップ及びリセットアセンブリ８０は、アクチュエータ８２とアクチュエータ取付け部８４とを含む。例示的な一実施形態において、トリップ及びリセットアセンブリのアクチュエータ取付け部８４は、トリップ装置アセンブリのハウジングアセンブリ７０と単一体をなす。すなわち、トリップ及びリセットアセンブリのアクチュエータ取付部８４は、トリップ装置アセンブリのハウジングアセンブリの幾つかの構成要素７３のうちの１つと単一体をなす。トリップ及びリセットアセンブリのアクチュエータ取付け部８４は、トリップ及びリセットアセンブリのアクチュエータ取付け部の旋回結合部の第１構成要素８８を定める本体８６を含む。図示されるように、トリップ及びリセットアセンブリのアクチュエータ取付け部の旋回結合部の第１構成要素８８は、略円筒形の部材７９である。
【００４１】
トリップ及びリセットアセンブリのアクチュエータ８２は、長尺の本体９０を有し、この本体９０は、長手軸９１、第１端部９２、第２端部９４、及び、第１端部と第２端部との間の中間部９６を有する。トリップ及びリセットアセンブリのアクチュエータの本体の第１端部９２は、アクチュエータ接触面９８及びトリップバー接触面１００を含む。例示的な一実施形態において、トリップ及びリセットアセンブリのアクチュエータの本体の第１端部９２は、タブ１０４を備えた長尺の延長部１０２を含む。トリップ及びリセットアセンブリのアクチュエータの本体の延長部１０２は、トリップ及びリセットアセンブリのアクチュエータの本体の長手軸９１に略直交する方向に延びるものである。さらに、トリップ及びリセットアセンブリのアクチュエータの本体のタブ１０４は、トリップ及びリセットアセンブリのアクチュエータの本体の長手軸９１に略平行に延びるものである。すなわち、トリップ及びリセットアセンブリのアクチュエータの本体のタブ１０４は、トリップ及びリセットアセンブリのアクチュエータの本体の延長部１０２に略直交する方向に延びる。例示的な一実施形態において、アクチュエータ接触面９８は、トリップ及びリセットアセンブリのアクチュエータの本体９０の面であり、トリップバー接触面１００は、トリップ及びリセットアセンブリのアクチュエータの本体のタブ１０４の面である。例示的な一実施形態において、アクチュエータ接触面９８及びトリップバー接触面１００は、略平面状に構成され、略同一の平面に沿って配置される。後述するように、アクチュエータ接触面９８は、プランジャー５４に係合し、かつプランジャー５４によって係合されるように構築される。トリップバー接触面１００は、トリップバーの本体の半径方向延長部４９に係合するように構築される。
【００４２】
トリップ及びリセットアセンブリのアクチュエータの本体の第２端部９４は、リセット接触面１１０を含む。例示的な一実施形態において、リセット接触面１１０は、略曲線状のカム面１１２である。トリップ及びリセットアセンブリのアクチュエータの本体９０は、旋回結合部の第２構成要素１１４を含む。例示的な一実施形態において、トリップ及びリセットアセンブリのアクチュエータの本体の旋回結合部の第２構成要素１１４は、略円形の断面を有する通路１１６である。トリップ及びリセットアセンブリのアクチュエータの本体の旋回結合部の第２構成要素である通路１１６は、トリップ及びリセットアセンブリのアクチュエータ取付け部の旋回結合部の第１構成要素８８に対応する。この配置構成において、アクチュエータ接触面９８／トリップバー接触面１００とリセット接触面１１０とは、トリップ及びリセットアセンブリのアクチュエータの本体の旋回結合部の第２構成要素１１４に対して互いに反対側に配置されており、したがって、トリップ及びリセットアセンブリのアクチュエータの本体９０が動くとき、トリップバー接触面１００とリセット接触面１１０とは、反対方向に動くものである。例示的な一実施形態において、トリップ及びリセットアセンブリのアクチュエータの本体９０は、単一の本体である。すなわち、本明細書における用法に従って、トリップ及びリセットアセンブリのアクチュエータの本体９０は「単一体」をなす本体であり、別体のトリップアクチュエータ及びリセットアクチュエータは存在しない。
【００４３】
上述した要素は、次のように組み立てられる。トリップ装置アセンブリのアクチュエータアセンブリ４４は、トリップ装置アセンブリのハウジングアセンブリのプランジャー用開口部７８に揃えられたプランジャー５４とともに、トリップ装置アセンブリのハウジングアセンブリ７０内に配置される。上述したように、この構成において、プランジャー５４がプランジャーの第１位置にあるとき、プランジャー５４の一端部は、トリップ装置アセンブリのハウジングアセンブリのプランジャー用開口部７８を通じて延びるものである。
【００４４】
トリップ及びリセットアセンブリのアクチュエータの本体９０は、トリップ及びリセットアセンブリのアクチュエータ取付け部８４に結合される。すなわち、トリップ及びリセットアセンブリのアクチュエータの本体の旋回結合部の第２構成要素１１４は、リセットアセンブリのアクチュエータの旋回結合部の第１構成要素８８に結合され、これによって、トリップ及びリセットアセンブリのアクチュエータの本体９０は、トリップ及びリセットアセンブリのアクチュエータ取付け部８４に回動可能に結合される。図４に示すように、この構成において、トリップ及びリセットアセンブリのアクチュエータの本体の第１端部９２及びアクチュエータ接触面９８は、トリップ装置アセンブリのハウジングアセンブリのプランジャー用開口部７８に隣接させて配置される。したがって、プランジャー５４がプランジャーの第１位置に動くとき、プランジャー５４は、アクチュエータ接触面９８に係合する。
【００４５】
トリップ及びリセットアセンブリ８０は、次いで、電気開閉装置のハウジングアセンブリ１２内に、作動機構１６及びトリップバー４８に隣接させて配置される。すなわち、例示的な一実施形態において、トリップバー接触面１００は、トリップバー４８に直接隣接させて配置され、また、例示的な一実施形態において、トリップバー４８の本体の半径方向延長部４９に直接隣接するかまたは接触するように配置される。さらに、リセット接触面１１０は、リセット部材３２に隣接させて配置される。
【００４６】
トリップ及びリセットアセンブリのアクチュエータの本体９０は、トリップ及びリセットアセンブリのアクチュエータ取付け部８４に、可動に、また、例示的な一実施形態においては回動可能に、結合され、第１位置と第２位置との間で可動である。第１位置において、トリップバー接触面１００は、トリップバー４８に係合し、第２位置において、アクチュエータ接触面９８は、プランジャー５４に係合する。さらに、作動機構１６が第１配置または第２配置にあるとき、リセット部材３２は、トリップ及びリセットアセンブリのアクチュエータの本体９０から離れて配置されている。作動機構１６がリセット配置に動くとき、リセット部材３２は、リセット接触面１１０に係合する。
【００４７】
この構成において、トリップ及びリセットアセンブリは、次のように動作する。この説明のため、電気開閉装置８は閉位置にあり、作動しているものとする。すなわち、各可動接点２４は、閉位置である第２位置にあり、固定接点２６に直接結合され、かつ電気的に接続されており、作動機構１６は、第２配置にあり、トリップバー４８はトリップバーの第２位置にあり、プランジャー５４は、プランジャーの第２位置である退縮位置にあり、そして、トリップ及びリセットアセンブリのアクチュエータの本体９０は、トリップ及びリセットアセンブリのアクチュエータの本体の第２位置にある。トリップ回路４６によって過電流状態が検出されると、トリップ装置アセンブリのアクチュエータアセンブリ４４が駆動され、それによって、プランジャー５４がプランジャーの第１位置に動かされる。プランジャー５４がプランジャーの第１位置に動くと、プランジャー５４はアクチュエータ接触面９８に係合し、それによって、トリップ及びリセットアセンブリのアクチュエータの本体９０が、第２位置から第１位置に動かされる。トリップ及びリセットアセンブリのアクチュエータの本体９０が第２位置から第１位置に動くと、トリップバー接触面１００がトリップバー４８に係合し、それによって、トリップバー４８が、トリップバーの第２位置からトリップバーの第１位置に動かされる。上述したように、トリップバー４８の回動によって、作動機構１６の、作動機構１６の第２配置から作動機構１６の第１配置への動きが生じる。さらに上述したように、作動機構１６が第１配置に動くことにより、一対の接点２３が分離する。
【００４８】
さらに、作動機構１６が第１配置からリセット配置に動くとき、リセット部材３２はリセット接触面１１０に係合する。リセット接触面１１０が係合されると、トリップ及びリセットアセンブリのアクチュエータの本体９０は、第２位置に戻るように動く。トリップ及びリセットアセンブリのアクチュエータの本体９０が第２位置に戻るように動くとき、アクチュエータ接触面９８は、プランジャー５４に係合し、かつプランジャー５４をプランジャーの第２位置に動かす。上述したように、作動機構１６の第１配置からリセット配置への動きにより、トリップバー４８も第２位置に再配置される。
【００４９】
したがって、プランジャー５４が、プランジャーの第１位置に動くとき、プランジャー５４は、アクチュエータ接触面９８に係合し、トリップ及びリセットアセンブリのアクチュエータの本体９０を、トリップ及びリセットアセンブリのアクチュエータの本体の第１位置に動かす。そして、トリップ及びリセットアセンブリのアクチュエータの本体９０がトリップ及びリセットアセンブリのアクチュエータの本体の第１位置に動くとき、トリップバー接触面１００は、トリップバー４８に係合し、トリップバー４８を、トリップバーの第１位置に動かす。さらに、作動機構１６がリセット配置に動くとき、リセット部材３２は、リセット接触面１１０に係合し、トリップ及びリセットアセンブリのアクチュエータの本体９０を、トリップ及びリセットアセンブリのアクチュエータの本体の第２位置に動かす。そして、トリップ及びリセットアセンブリのアクチュエータの本体９０が、トリップ及びリセットアセンブリのアクチュエータの本体の第２位置に動くとき、アクチュエータ接触面９８は、プランジャー５４に係合し、プラジャー５４を、プランジャーの第２位置に動かす。
【００５０】
本発明の特定の実施形態を詳細に説明したが、開示の全体的な教示に鑑みて、これらの詳細に対して様々な変更及び代替が可能であることは、当業者には明らかである。したがって、開示された特定の議論は、説明のみを意図するものであり、添付請求項の全範囲並びに任意の及び全ての均等物で与えられる本発明の範囲を限定するものではない。
【００５１】
さらに、本明細書において、最初に請求項の前段で特定される任意の要素は、その要素が請求項内で後に記載されていたとしても、クレーム要素(claim element)ではない。すなわち、請求項では、前段において幾つかの非クレーム要素が記載され、後に、クレーム要素と前段に記載された非クレーム要素との間の関連または相互作用が記載される場合がある。最初に前段に記載された要素が、後に請求項の本文に記載されたとしても、それらの要素（すなわち、前段で特定された非クレーム要素）は、クレーム要素ではない。例えば、トリップ及びリセットアセンブリ７０の請求項は、トリップ及びリセットアセンブリ７０の要素のみを請求するものであるが、請求項の前段には、作動機構１６のような（但し、これには限定されない）幾つかの要素が特定されている。トリップ及びリセットアセンブリ７０の作動機構１６（すなわち、前段で特定された非クレーム要素）との相互作用を記述する請求項の記載は、前段で特定された非クレーム要素（この例では、作動機構１６）を請求するものではない。
【図１】
0006568073.tif 000002
【図２】
0006568073.tif 000003
【図３】
0006568073.tif 000004
【図４】
0006568073.tif 000005
【図５】
0006568073.tif 000006
【図６】
0006568073.tif 000007
【図７】
0006568073.tif 000008